(57)【要約】【課題】画像サイズに応じた適切な画質の画像を表示することができる記録装置および記録装置制御プログラムを提供する。【解決手段】テスト印刷ではない通常の印刷を行うように指示された場合は（Ｓ２：Ｎｏ）、画像情報の全面を設定されている印刷用紙のサイズに合わせて拡大または縮小する（Ｓ３）。次に、印刷用紙のサイズが、２Ｌ判より小さいか否かを判断する（Ｓ４）。  印刷用紙のサイズが、２Ｌ判より小さい場合は（Ｓ４：Ｙｅｓ）、２度視野用のプロファイルで色変換処理し（Ｓ８）、印刷用紙のサイズが、２Ｌ判以上の場合は（Ｓ４：Ｎｏ）、１０度視野用のプロファイルで色変換処理する（Ｓ５）。【選択図】図４
2007108969.tif 000002
【特許請求の範囲】
【請求項１】
記録媒体のサイズを指定する記録媒体指定ステップと、その記録媒体指定ステップにより指定されたサイズに画像を拡大縮小する拡大縮小ステップと、その拡大縮小ステップにより拡大または縮小された画像を前記記録媒体指定ステップにより指定された記録媒体に印刷を行う記録装置を制御する記録装置制御プログラムにおいて、
前記拡大縮小ステップにより拡大または縮小された画像を前記記録媒体指定ステップにより指定されたサイズに応じた視野角に適する色変換処理を行う画像処理ステップを備えていることを特徴とする記録装置制御プログラム。
【請求項２】
記録媒体のサイズを指定する記録媒体指定ステップと、その記録媒体指定ステップにより指定されたサイズに画像を拡大縮小する拡大縮小ステップと、その拡大縮小ステップにより拡大または縮小された画像を前記記録媒体指定ステップにより指定された記録媒体に印刷を行う記録装置を制御する記録装置制御プログラムにおいて、
前記拡大縮小ステップにより拡大または縮小された画像を前記記録媒体指定ステップにより指定されたサイズに応じて彩度を調整する色変換処理を行う画像処理ステップを備えていることを特徴とする記録装置制御プログラム。
【請求項３】
記録媒体のサイズを指定する記録媒体指定ステップと、その記録媒体指定ステップにより指定されたサイズに画像を拡大縮小する拡大縮小ステップと、その拡大縮小ステップにより拡大または縮小された画像を前記記録媒体指定ステップにより指定された記録媒体に印刷を行う記録装置を制御する記録装置制御プログラムにおいて、
前記拡大縮小ステップにより拡大または縮小された画像を前記記録媒体指定ステップにより指定されたサイズに応じてコントラストを調整する色変換処理を行う画像処理ステップを備えていることを特徴とする記録装置制御プログラム。
【請求項４】
前記画像処理ステップは、前記拡大縮小ステップにより拡大または縮小された画像を、前記記録媒体指定ステップにより指定されたサイズに応じた視野角に適するとともに、前記記録媒体指定ステップにより指定されたサイズに応じて彩度を調整する色変換処理を行うことを特徴とする請求項１または２記載の記録装置制御プログラム。
【請求項５】
前記画像処理ステップは、前記拡大縮小ステップにより拡大または縮小された画像を、前記記録媒体指定ステップにより指定されたサイズに応じた視野角に適するとともに、そのサイズに応じてコントラストを調整する色変換処理を行うことを特徴とする請求項１または３記載の記録装置制御プログラム。
【請求項６】
前記画像処理ステップは、前記拡大縮小ステップにより拡大または縮小された画像を前記記録媒体指定ステップにより指定されたサイズに応じて彩度を調整する処理とそのサイズに応じてコントラストを調整する処理を行うことを特徴とする請求項２または３記載の記録装置制御プログラム。
【請求項７】
画像の一部を印刷するテスト印刷を指示するテスト印刷指示ステップを備え、
前記拡大縮小ステップは、前記テスト印刷指示ステップによりテスト印刷が指示された場合は、画像データの一部について前記記録媒体指定ステップにより指定されたサイズに画像を拡大縮小するものであることを特徴とする請求項１から６のいずれかに記載の記録装置制御プログラム。
【請求項８】
記録媒体のサイズを指定する記録媒体指定手段と、その記録媒体指定手段により指定されたサイズに画像を拡大縮小する拡大縮小手段と、その拡大縮小手段により拡大または縮小された画像を前記記録媒体指定手段により指定されたサイズの記録媒体に印刷を行う印刷手段とを備えた記録装置において、
前記記録媒体指定手段により指定されたサイズに応じた視野角を有する色変換処理を行う画像処理手段を備えていることを特徴とする記録装置。
【請求項９】
記録媒体のサイズを指定する記録媒体指定手段と、その記録媒体指定手段により指定されたサイズに画像を拡大縮小する拡大縮小手段と、その拡大縮小手段により拡大または縮小された画像を前記記録媒体指定手段により指定されたサイズの記録媒体に印刷を行う印刷手段とを備えた記録装置において、
前記記録媒体指定手段により指定されたサイズに応じて彩度を調整する色変換処理を行う画像処理手段を備えていることを特徴とする記録装置。
【請求項１０】
記録媒体のサイズを指定する記録媒体指定手段と、その記録媒体指定手段により指定されたサイズに画像を拡大縮小する拡大縮小手段と、その拡大縮小手段により拡大または縮小された画像を前記記録媒体指定手段により指定されたサイズの記録媒体に印刷を行う印刷手段とを備えた記録装置において、
前記記録媒体指定手段により指定されたサイズに応じてコントラストを調整する色変換処理を行う画像処理手段を備えていることを特徴とする記録装置。
【発明の詳細な説明】
【技術分野】
【０００１】
本発明は、記録装置および記録装置制御プログラムに関し、画像サイズに応じた適切な画質の画像を表示することができる記録装置および記録装置制御プログラムに関するものである。
【背景技術】
【０００２】
デジタルカメラなどで撮影した画像を表示する場合、表示する画像のサイズに応じた輝度に補正することができる画像処理方法が知られている。
【０００３】
特開２００１−７６１２２号公報（特許文献１）には、原画像の画像スケールに基づいて得られるスモールスケールおよびラージスケールの２種類のスケールサイズに関するマルチスケール網膜処理と原画像とに基づいて、画像の輝度を補正し、画像サイズに対応した適切な輝度補正が実施されるとしている。
【特許文献１】特開２００１−７６１２２号公報
【発明の開示】
【発明が解決しようとする課題】
【０００４】
しかしながら、特許文献１に記載された発明では、印刷される画像のサイズの差異による視野角に応じた変換、あるいは印刷される画像のサイズにより彩度またはコントラストが変更されないため、サイズにより見え方が異なるという問題点があった。すなわち、人間の色感覚には、個人差があり視野角が変わると、色感覚も変化する。したがって、画像の大きさが大きいと、画像の大きさが小さい場合に比べ、視野角が大きくなり、色感覚が異なる。例えば、彩度やコントラストが低くなるように感じられるというものである。
【０００５】
本発明は、上記問題点を解決するためになされたものであり、画像の大きさに応じた適切な画質の画像を表示することができる記録装置およびその制御プログラムを提供することを目的としている。
【課題を解決するための手段】
【０００６】
この目的を達成するために、本発明の請求項１記載の記録装置制御プログラムは、記録媒体のサイズを指定する記録媒体指定ステップと、その記録媒体指定ステップにより指定されたサイズに画像を拡大縮小する拡大縮小ステップと、その拡大縮小ステップにより拡大または縮小された画像を前記記録媒体指定ステップにより指定された記録媒体に印刷を行う記録装置を制御するものであって、前記拡大縮小ステップにより拡大または縮小された画像を前記記録媒体指定ステップにより指定されたサイズに応じた視野角に適する色変換処理を行う画像処理ステップを備えている。
【０００７】
請求項２記載の記録装置制御プログラムは、記録媒体のサイズを指定する記録媒体指定ステップと、その記録媒体指定ステップにより指定されたサイズに画像を拡大縮小する拡大縮小ステップと、その拡大縮小ステップにより拡大または縮小された画像を前記記録媒体指定ステップにより指定された記録媒体に印刷を行う記録装置を制御するものであって、前記拡大縮小ステップにより拡大または縮小された画像を前記記録媒体指定ステップにより指定されたサイズに応じて彩度を調整する色変換処理を行う画像処理ステップを備えている。
【０００８】
請求項３記載の記録装置制御プログラムは、記録媒体のサイズを指定する記録媒体指定ステップと、その記録媒体指定ステップにより指定されたサイズに画像を拡大縮小する拡大縮小ステップと、その拡大縮小ステップにより拡大または縮小された画像を前記記録媒体指定ステップにより指定された記録媒体に印刷を行う記録装置を制御するものであって、前記拡大縮小ステップにより拡大または縮小された画像を前記記録媒体指定ステップにより指定されたサイズに応じてコントラストを調整する色変換処理を行う画像処理ステップを備えている。
【０００９】
請求項４記載の記録装置制御プログラムは、請求項１または２記載の記録装置制御プログラムにおいて、前記画像処理ステップは、前記拡大縮小ステップにより拡大または縮小された画像を、前記記録媒体指定ステップにより指定されたサイズに応じた視野角に適するとともに、前記記録媒体指定ステップにより指定されたサイズに応じて彩度を調整する色変換処理を行う。
【００１０】
請求項５記載の記録装置制御プログラムは、請求項１または３記載の記録装置制御プログラムにおいて、前記画像処理ステップは、前記拡大縮小ステップにより拡大または縮小された画像を、前記記録媒体指定ステップにより指定されたサイズに応じた視野角に適するとともに、そのサイズに応じてコントラストを調整する色変換処理を行う。
【００１１】
請求項６記載の記録装置制御プログラムは、請求項２または３記載の記録装置制御プログラムにおいて、前記画像処理ステップは、前記拡大縮小ステップにより拡大または縮小された画像を前記記録媒体指定ステップにより指定されたサイズに応じて彩度を調整する処理とそのサイズに応じてコントラストを調整する処理を行う。
【００１２】
請求項７記載の記録装置制御プログラムは、請求項１から６のいずれかに記載の記録装置制御プログラムにおいて、画像の一部を印刷するテスト印刷を指示するテスト印刷指示ステップを備え、前記拡大縮小ステップは、前記テスト印刷指示ステップによりテスト印刷が指示された場合は、画像データの一部について前記記録媒体指定ステップにより指定されたサイズに画像を拡大縮小するものである。
【００１３】
請求項８記載の記録装置は、記録媒体のサイズを指定する記録媒体指定手段と、その記録媒体指定手段により指定されたサイズに画像を拡大縮小する拡大縮小手段と、その拡大縮小手段により拡大または縮小された画像を前記記録媒体指定手段により指定されたサイズの記録媒体に印刷を行う印刷手段とを備えたものであって、前記記録媒体指定手段により指定されたサイズに応じた視野角を有する色変換処理を行う画像処理手段を備えている。
【００１４】
請求項９記載の記録装置は、記録媒体のサイズを指定する記録媒体指定手段と、その記録媒体指定手段により指定されたサイズに画像を拡大縮小する拡大縮小手段と、その拡大縮小手段により拡大または縮小された画像を前記記録媒体指定手段により指定されたサイズの記録媒体に印刷を行う印刷手段とを備えたものであって、前記記録媒体指定手段により指定されたサイズに応じて彩度を調整する色変換処理を行う画像処理手段を備えている。
【００１５】
請求項１０記載の記録装置は、記録媒体のサイズを指定する記録媒体指定手段と、その記録媒体指定手段により指定されたサイズに画像を拡大縮小する拡大縮小手段と、その拡大縮小手段により拡大または縮小された画像を前記記録媒体指定手段により指定されたサイズの記録媒体に印刷を行う印刷手段とを備えたものであって、前記記録媒体指定手段により指定されたサイズに応じてコントラストを調整する色変換処理を行う画像処理手段を備えている。
【発明の効果】
【００１６】
請求項１記載の記録装置制御プログラムによれば、拡大縮小ステップにより拡大または縮小された画像を記録媒体指定ステップにより指定されたサイズに応じた視野角に適する色変換処理を行う画像処理ステップを備えているので、画像を記録媒体指定ステップにより指定されたサイズに応じた画像に拡大または縮小する場合に、指定された記録媒体のサイズに応じた視野角に適する色変換が行われる。したがって、画像が小さいサイズに表示される場合も、大きいサイズに表示される場合も、適切な視野角の画像を表示することができる。
【００１７】
請求項２記載の記録装置制御プログラムによれば、拡大縮小ステップにより拡大または縮小された画像を記録媒体指定ステップにより指定されたサイズに応じて彩度を調整する色変換処理を行う画像処理ステップを備えているので、画像を記録媒体指定ステップにより指定されたサイズに応じた画像に拡大または縮小する場合に、指定された記録媒体のサイズに適した彩度に色変換が行われる。したがって、画像が小さいサイズに表示される場合も、大きいサイズに表示される場合も、適切な彩度の画像を表示することができる。
【００１８】
請求項３記載の記録装置制御プログラムによれば、拡大縮小ステップにより拡大または縮小された画像を前記記録媒体指定ステップにより指定されたサイズに応じてコントラストを調整する色変換処理を行う画像処理ステップを備えているので、画像を記録媒体指定ステップにより指定されたサイズに応じた画像に拡大または縮小する場合に、指定された記録媒体のサイズに適したコントラストに色変換が行われる。したがって、画像が小さいサイズに表示される場合も、大きいサイズに表示される場合も、適切なコントラストの画像を表示することができる。
【００１９】
請求項４記載の記録装置制御プログラムによれば、請求項１または２記載の記録装置制御プログラムの奏する効果に加え、画像処理ステップは、拡大縮小ステップにより拡大または縮小された画像を、記録媒体指定ステップにより指定されたサイズに応じた視野角に適するとともに、記録媒体指定ステップにより指定されたサイズに応じて彩度を調整する色変換処理を行うので、画像を記録媒体指定ステップにより指定されたサイズに応じた画像に拡大または縮小する場合に、指定された記録媒体のサイズに適した視野角および彩度に色変換が行われる。したがって、画像が小さいサイズに表示される場合も、大きいサイズに表示される場合も、適切な視野角および彩度の画像を表示することができる。
【００２０】
請求項５記載の記録装置制御プログラムによれば、請求項１または３記載の記録装置制御プログラムの奏する効果に加え、画像処理ステップは、拡大縮小ステップにより拡大または縮小された画像を、記録媒体指定ステップにより指定されたサイズに応じた視野角に適するとともに、そのサイズに応じてコントラストを調整する色変換処理を行うので、画像を記録媒体指定ステップにより指定されたサイズに応じた画像に拡大または縮小する場合に、指定された記録媒体のサイズに適した視野角およびコントラストに色変換が行われる。したがって、画像が小さいサイズに表示される場合も、大きいサイズに表示される場合も、適切な視野角およびコントラストの画像を表示することができる。
【００２１】
請求項６記載の記録装置制御プログラムによれば、請求項２または３記載の記録装置制御プログラムにおいて、画像処理ステップは、拡大縮小ステップにより拡大または縮小された画像を前記記録媒体指定ステップにより指定されたサイズに応じて彩度を調整する処理とそのサイズに応じてコントラストを調整する処理を行うので、画像を記録媒体指定ステップにより指定されたサイズに応じた画像に拡大または縮小する場合に、指定された記録媒体のサイズに適した彩度およびコントラストに色変換が行われる。したがって、画像が小さいサイズに表示される場合も、大きいサイズに表示される場合も、適切な彩度およびコントラストの画像を表示することができる。
【００２２】
請求項７記載の記録装置制御プログラムによれば、請求項１から６のいずれかに記載の記録装置制御プログラムの奏する効果に加え、画像の一部を印刷するテスト印刷を指示するテスト印刷指示ステップを備え、拡大縮小ステップは、テスト印刷指示ステップによりテスト印刷が指示された場合は、画像データの一部について記録媒体指定ステップにより指定されたサイズに画像を拡大縮小するものであるので、画像の一部を印刷するテスト印刷において、記録媒体のサイズに応じて視野角、彩度、コントラストが調整された表示が行われ、全面が印刷される場合と同じ画質でテスト印刷が行われる。よって、色調整などの設定が正しく行われているかという判断を正確に行うことができる。また印刷される面積が小さいので、通常印刷より速くテスト印刷を行うことができる。
【００２３】
請求項８記載の記録装置によれば、記録媒体指定手段により指定されたサイズに応じた視野角を有する色変換処理を行う画像処理手段を備えているので、画像を記録媒体指定手段により指定されたサイズに応じた画像に拡大または縮小する場合に、指定された記録媒体のサイズに応じた視野角に適する色変換が行われる。したがって、画像が小さいサイズに表示される場合も、大きいサイズに表示される場合も、適切な視野角の画像を表示することができる。
【００２４】
請求項９記載の記録装置によれば、記録媒体指定手段により指定されたサイズに応じて彩度を調整する色変換処理を行う画像処理手段を備えているので、画像を記録媒体指定手段により指定されたサイズに応じた画像に拡大または縮小する場合に、指定された記録媒体のサイズに適した彩度に色変換が行われる。したがって、画像が小さいサイズに表示される場合も、大きいサイズに表示される場合も、適切な彩度の画像を表示することができる。
【００２５】
請求項１０記載の記録装置によれば、記録媒体指定手段により指定されたサイズに応じてコントラストを調整する色変換処理を行う画像処理手段を備えているので、画像を記録媒体指定手段により指定されたサイズに応じた画像に拡大または縮小する場合に、指定された記録媒体のサイズに適したコントラストに色変換が行われる。したがって、画像が小さいサイズに表示される場合も、大きいサイズに表示される場合も、適切なコントラストの画像を表示することができる。
【発明を実施するための最良の形態】
【００２６】
以下、本発明の好ましい実施形態について、添付図面を参照して説明する。図１は、本発明の画像処理プログラムが実行される画像処理装置として機能するパーソナルコンピュータ（以下単に「ＰＣ」と略す）１０と、このＰＣ１０に接続されたプリンタ２０との電気的構成を示すブロック図である。
【００２７】
ＰＣ１０は、ＣＰＵ１１と、ＲＯＭ１２と、ＲＡＭ１３と、ハードディスクドライブ（以下「ＨＤＤ」と称す）１４と、操作部１５と、表示装置であるＬＣＤ（液晶ディスプレイ）１６と、プリンタ用インターフェイス（以下「Ｉ／Ｆ」と称す）１７とを有し、これらは、バス１８により相互に接続されている。
【００２８】
ＣＰＵ１１は、演算装置であり、ＲＯＭ１２やＲＡＭ１３やＨＤＤ１４に記憶されるプログラムを実行するものである。ＲＯＭ１２は、ブートプログラムなどの基本プログラムを記憶する読み出し専用なメモリである。
【００２９】
ＲＡＭ１３は、書換可能なメモリであり、ＣＰＵ１１で実行される処理において一時的に記憶する必要があるデータなどを記憶したり、ＨＤＤ１４に記憶されるオペレーティングシステムやプリンタドライバが実行される際にはこのＲＡＭ１３に転送されて実行される。
【００３０】
ＨＤＤ１４は、ＰＣ１０で実行されるオペレーティングシステムを記憶するＯＳメモリ１４ａや、プリンタドライバを記憶するプリンタドライバメモリ１４ｂや画像データを記憶する画像データメモリ１４ｃを有する書換可能なメモリである。
【００３１】
次に図２を参照して、プリンタドライバでの処理において設定する種々の項目について説明する。図２は、プリンタドライバを実行する際に、印刷プロパティの設定を選択した際にＬＣＤ１６に表示される印刷設定画面２８である。
【００３２】
印刷設定画面２８には、印刷を行う記録媒体である印刷用紙を選択設定する用紙種類選択ボックス２８ａと、印刷用紙のサイズを選択設定する用紙サイズ設定ボックス２８ｂと、印刷面のレイアウトを設定すレイアウト設定ボックス２８ｃと、印刷を行う部数を設定する部数設定ボックス２８ｄと、テスト印刷指定ボタン２８ｅなどが表示される。
【００３３】
用紙種類選択ボックス２８ａは、選択された用紙種類を表示する表示エリアと、そのエリアの右端に下方に向いた三角形が描かれたアイコンとを有し、このアイコンにマウスを操作してカーソル合わせ、クリックするとプルダウンメニューとして、普通紙、光沢紙、インクジェット紙などが表示され、その中から印刷する用紙の種類にカーソルを合わせ、マウスをクリックすることにより選択指定することができる。用紙種類が選択されると、選択された用紙種類に最適なプロファイルが選択され、そのプロファイルにより画像データの変換が行われる。
【００３４】
用紙サイズ設定ボックス２８ｂも同様に、選択された用紙のサイズを表示するエリアと、選択を行うためのプルダウンメニューの表示を指示するアイコンとを有し、用紙のサイズとしては、ハガキ（１００×１４８）、Ｌ判（８９×１２７）、２Ｌ判（１２７×１７８）、Ｂ５（１８２×２５７），Ａ４（２１０×２９７、いずれも単位は、ｍｍ）などの中から選択することができる。
【００３５】
レイアウト設定ボックス２８ｃも同様に、１枚の用紙に、１ページを記録する場合や、１枚の用紙に２ページを印刷する場合などを選択設定することができる。
【００３６】
部数設定ボックス２８ｄは、設定された部数を数値で表示するエリアからなり、そのエリアの右側に、数値を増加させるための上向きの三角形を表示したインクリメントアイコンと、数値を減少させるための下向きの三角形を表示したデクリメントアイコンとを備え、これらのアイコンにカーソルを移動してマウスを操作することにより、印刷部数を設定することができる。なお、テンキーなどで直接印刷部数を入力することも可能である。
【００３７】
テスト印刷指定ボタン２８ｅは、テスト印刷を行うように指定するボタンであり、この
テスト印刷指定ボタン２８ｅにマウスを操作してカーソルを合わせ、クリックすると、テスト印刷が実行される。
【００３８】
次に、図３を参照してテスト印刷について説明する。図３は、テスト印刷について説明するための模式図である。図３（ａ）は、印刷用紙全面に印刷を行う通常印刷が行われた状態を示し、図３（ｂ）は、図３（ａ）に示す画像の一部である破線で囲む部分をテスト印刷した場合の画像を示している。これら２つの図から分かるように、テスト印刷は、通常印刷の一部分を切り抜いて印刷を行うものである。すなわち、図３の場合には、通常印刷された図３（ａ）の中央部分が抜き出されて図３（ｂ）のように通常印刷の一部分が印刷される。
【００３９】
通常印刷では、用紙サイズが指定されると、画像データは、拡大または縮小されて、用紙の全面に印刷される。テスト印刷の場合は、同様に用紙サイズが指定されると、そのサイズに応じて拡大または縮小された部分が印刷される。このテスト印刷を行うことにより、全面を印刷する場合に比べ、短い時間で印刷を行い、印刷の画質などをチェックし、必要があれば修正することができる。
【００４０】
次に、図４を参照して、プリンタドライバがＣＰＵ１１により実行されることにより行われる処理について説明する。図４は、プリンタドライバでの処理を示すフローチャートである。この処理では、まず、印刷設定が入力される（Ｓ１）。この印刷設定は、図２に示す印刷設定画面２８が表示され、使用者が各項目について設定を行う処理である。次に、テスト印刷が指示されたか否かを判断する（Ｓ２）。この判断は、図２に示す印刷設定画面２８において表示されるテスト印刷を指示するテスト印刷指定ボタン２８ｅがオン操作されたか否かを検出することにより行われる。
【００４１】
テスト印刷ではない通常の印刷を行うように指示された場合は（Ｓ２：Ｎｏ）、画像情報の全面を設定されている印刷用紙のサイズに合わせて拡大または縮小する（Ｓ３）。次に、印刷用紙のサイズが、２Ｌ判より小さいか否かを判断する（Ｓ４）。
【００４２】
印刷用紙のサイズが、２Ｌ判より小さい場合は（Ｓ４：Ｙｅｓ）、２度視野用のプロファイルで色変換処理し（Ｓ８）、印刷用紙のサイズが、２Ｌ判以上の場合は（Ｓ４：Ｎｏ）、１０度視野用のプロファイルで色変換処理する（Ｓ５）。
【００４３】
一方、テスト印刷を行うように指示された場合は（Ｓ２：Ｙｅｓ）、画像情報の予め定められた部分を、設定されている印刷用紙のサイズに合わせて拡大または縮小する（Ｓ６）。次に、印刷用紙のサイズが、２Ｌ判より小さいか否かを判断する（Ｓ７）。印刷用紙のサイズが、２Ｌ判より小さい場合は（Ｓ４：Ｙｅｓ）、２度視野のプロファイルで変換処理を行い（Ｓ８）、印刷用紙のサイズが、２Ｌ判以上の場合は（Ｓ４：Ｎｏ）、１０度視野のプロファイルで変換処理を行う（Ｓ５）。Ｓ５またはＳ８の処理においてプロファイル変換が行った画像情報は、プリンタに出力する（Ｓ９）。なお、２度視野は、視野角が１〜４度用のもので、１０度視野は、視野角が４度以上のものとされている。
【００４４】
なお、上記フローチャートでは、Ｓ５またはＳ８において、画像の大きさに応じて視野角に対応した色変換を行うものとしたが、コントラストや彩度を、画像の大きさに応じて色変換するようにしてもよい。コントラストを画像の大きさに応じて色変換する場合には、画像の大きさが大きいほど、コントラストが高くなるように変換を行う。また、彩度を画像の大きさに応じて色変換する場合には、画像の大きさが大きいほど、彩度が高くなるように変換を行う。また、画像の大きさに応じて、視野角、コントラスト、彩度のうち複数の特性を同時に色変換するようにしてもよい。これらの色変換は、それぞれの特性を調整するルックアップテーブルを参照することによって行ってもよいし、演算により行ってもよい。
【００４５】
以上、実施形態に基づいて説明したように、プリンタ２０において印刷を行う記録媒体のサイズを指定すると、そのサイズに適合するように画像が拡大または縮小されるとともに、そのサイズに適する視野角に応じた色変換、またはそのサイズに適した彩度に色変換、またはそのサイズに適したコントラストに色変換が行われる。よって、印刷される画像が小さい場合に比べ、大きく印刷される場合の、視野角の差異による色の違いや、彩度およびコントラストが低下することを防止することができる。
【００４６】
また、全画面の一部の印刷を行うテスト印刷の場合においても、記録媒体のサイズを指定すると、全画面のうちの一部について、指定されたサイズに画像が拡大または縮小されるとともに、そのサイズに適する視野角に応じた色変換、またはそのサイズに適した彩度に色変換、またはそのサイズに適したコントラストに色変換が行われる。よって、印刷される画像のテストを正確に速く行うことができる。
【００４７】
なお、請求項に記載の記録媒体指定ステップおよび記録媒体指定手段は、図４に示すフローチャートのＳ１の処理が該当し、拡大縮小ステップおよび拡大縮小手段は、図４に示すフローチャートのＳ３の処理が該当し、画像処理ステップおよび画像処理手段は、図４に示すフローチャートのＳ５およびＳ８の処理が該当し、テスト印刷指示ステップは、図４に示すフローチャートのＳ２の処理が該当する。
【００４８】
以上実施形態に基づき本発明を説明したが、本発明は上記実施形態に何ら限定されるものでなく、本発明の趣旨を逸脱しない範囲内で種々の改良変形が可能であることは容易に推察できるものである。
【００４９】
例えば、上記実施形態では、プリンタドライバでの処理は、ＰＣ１０において実行されるものとしたが、プリンタ２０において、記録媒体のサイズを設定するようにし、その設定されたサイズに画像を拡大または縮小するとともに、そのサイズに適した色変換を行うプリンタ２０において行うようにしてもよい。また、プリンタ２０において、印刷を行う記録媒体が、プリンタ２０に装着された場合に、その記録媒体のサイズを検出し、その検出したサイズに画像を拡大または縮小するとともに、そのサイズに適した色変換を行うプリンタ２０において行うようにしてもよい。
【００５０】
また、上記実施形態では、印刷を行う記録媒体のサイズを選択し、その選択された記録媒体のサイズに応じて、画像を拡大または縮小するとともに、そのサイズに適した色変換を行うものとしたが、印刷設定画面２８において１枚の用紙に複数のページの画像を印刷するように設定するレイアウト設定ボックス２８ｃにより複数のページが印刷されるように設定された場合には、１ページが印刷される用紙のサイズにより、画像を拡大または縮小するとともに、そのサイズに適した色変換を行うものとしてもよい。
【図面の簡単な説明】
【００５１】
【図１】本発明の実施形態におけるコンピュータの電気的構成を示すブロック図である。
【図２】プリンタドライバでの処理におけるプロパティを設定する印刷設定画面を示す図である。
【図３】テスト印刷について説明するための模式図である。
【図４】プリンタドライバでの処理を示すフローチャートである。
【符号の説明】
【００５２】
１０            コンピュータ（ＰＣ）
１１            ＣＰＵ
１４            ハードディスク
１４ｂ          プリンタドライバメモリ
１６            ＬＣＤ
２０            プリンタ
【図１】
2007108969.tif 000003
【図２】
2007108969.tif 000004
【図３】
2007108969.tif 000005
【図４】
2007108969.tif 000006